(57)【要約】  ネットワークの運用保守を維持するように動作可能な運用保守センターを備える、モバイル通信ネットワーク。ネットワークは、それぞれが物理セル識別子（ＰＣＩ）を備え、セルのいくつかが固定セルであり、セルのいくつかがモバイルセルである、複数のセルを備える。第１のセルは、第１のセルに隣接した複数のセルからのセルの詳細を保持するための、近隣関係表（ＮＲＴ）を含んだ、自動的近隣関係（ＡＮＲ）機能をホストするように動作可能なｅＮＢを備える。ｅＮＢは、ＮＲＴ中に、隣接したセルが固定またはモバイルであるかどうかに関する情報を保持する。
2015524625.tif 000002
【特許請求の範囲】
【請求項１】
モバイル通信ネットワークであって、
前記ネットワークの運用保守を維持するように動作可能な１つ以上の運用保守センターと、
複数のセルであって、それぞれが物理セル識別子（ＰＣＩ）を備え、前記セルのいくつかが固定セルであり、前記セルのいくつかがモバイルセルである、前記複数のセルと
を備え、
第１のセルは、前記第１のセルに隣接した前記複数のセルからのセルの詳細を保持するために、近隣関係表（ＮＲＴ）を含んだ、自動的近隣関係（ＡＮＲ）機能をホストするように動作可能なｅＮＢを備え、
前記ｅＮＢは、隣接したセルが固定またはモバイルであるかどうかに関する情報を、前記ＮＲＴ中に、保持する、
前記モバイル通信ネットワーク。
【請求項２】
前記ｅＮＢは、新しい隣接したセルを検出するように動作可能であり、新たに検出されたセルがモバイルセルであれば、前記ｅＮＢは、前記新たに検出されたモバイルセルの前記ＰＣＩが、前記ＮＲＴ中にすでにあるＰＣＩに一致するか否かを判定するように動作可能である、請求項１に記載のモバイル通信ネットワーク。
【請求項３】
前記ｅＮＢは、前記新たに検出されたモバイルセルのための前記運用保守センターを識別し、前記モバイルセルのＰＣＩが前記ＮＲＴ中の既存のセルのＰＣＩと衝突する場合、前記運用保守センターがＰＣＩ割り当てアルゴリズムを開始することによって前記モバイルセルのＰＣＩを変更するようにリクエストするために動作可能である、請求項２に記載のモバイル通信ネットワーク。
【請求項４】
前記ｅＮＢは、前記ＰＣＩ割り当てアルゴリズムを開始するときにどちらのＰＣＩを回避する必要があるかを前記運用保守センターに示すように動作可能である、請求項３に記載のモバイル通信ネットワーク。
【請求項５】
前記各自の固定セルを形成するアクセスノードは、ｅＮＢならびにタイプ１、タイプ１ａおよびタイプ１ｂのリレーノードを備える、請求項１から４のいずれかに記載のモバイル通信ネットワーク。
【請求項６】
物理セル識別子（ＰＣＩ）を備えるモバイルセルを形成するモバイルリレーノードであって、前記モバイルリレーノードは、モバイル通信ネットワーク内で移動するように動作可能であり、前記モバイル通信ネットワークは、それぞれが各自の物理セル識別子（ＰＣＩ）をもつ複数のセルを備え、
前記モバイルリレーノードは、前記ネットワークにおけるセル間で移動するにつれて、現在隣接するセルのＰＣＩをモニタするように動作可能であり、前記モバイルリレーノードは、そのＰＣＩが隣接したセルのＰＣＩと競合することを検出した場合、前記モバイルリレーノードのＰＣＩを変更するように動作可能である、
前記モバイルリレーノード。
【請求項７】
前記リレーノードは、タイプ１ａまたはタイプ１ｂのリレーである、請求項６に記載のモバイルリレーノード。
【請求項８】
前記モバイルリレーノードは、第１のｅＮＢへのバックホールリンクを備え、前記バックホールリンクは、前記モバイルリレーノードのモビリティによる要求に応じて第２のｅＮＢへハンドオーバされ、前記モバイルリレーノードは、隣接したセルのＰＣＩに関する情報を対象としてそのバックホールリンクをモニタする、請求項６または７に記載のモバイルリレーノード。
【請求項９】
前記モバイルリレーノードは、前記ｅＮＢとの任意のＰＣＩ衝突を検出するために、そのバックホールリンクを連続的にモニタする、請求項８に記載のモバイルリレーノード。
【請求項１０】
モバイル通信システムであって、
モバイルリレーノードがアタッチされた第１のｅＮＢであって、前記モバイルリレーノードは、物理セル識別子（ＰＣＩ）を備える、前記第１のｅＮＢと、
それぞれが各自のＰＣＩをもつ、１つ以上のセルを制御する、第２のｅＮＢと、
それぞれが各自のＰＣＩをもつ、１つ以上のセルを制御する、前記第２のｅＮＢの近隣にある、第３のｅＮＢと
を備え、
前記ｅＮＢのそれぞれは、それぞれのｅＮＢが隣接したｅＮＢによって制御されるセルのＰＣＩを認識するような、自動的近隣関係機能を備え、
前記第１のｅＮＢが前記モバイルリレーノードを前記第２のｅＮＢへハンドオーバするときに、前記第２のｅＮＢは、前記モバイルリレーノードの前記ＰＣＩが前記第３のｅＮＢによって制御される前記セルの前記ＰＣＩのいずれかと競合するか否かを判定し、競合が生じる場合、前記第２のｅＮＢは、前記モバイルリレーノードにそのＰＣＩを変更するように促す、
前記モバイル通信システム。
【請求項１１】
モバイル通信システムであって、
ｅＮＢと、
第１のモバイルリレーノードおよび第２のモバイルリレーノードとを備え、それぞれのモバイルリレーノードは、第１および第２の物理セル識別子（ＰＣＩ）を備え、前記ＰＣＩが同じであれば、前記ｅＮＢは、前記第１のモバイルリレーノードおよび第２のモバイルリレーノードのうちの１つにそれらのＰＣＩを変更するように促すために動作可能である、
前記モバイル通信システム。
【請求項１２】
前記ｅＮＢへハンドオーバされる前記第１および第２のモバイルリレーノードのうちの最後の方は、そのＰＣＩを変更するように促される、請求項１１に記載のモバイル通信システム。
【請求項１３】
前記第１のモバイルリレーノードが前記ｅＮＢによって先にサービスされていた場合、前記第２のモバイルリレーノードは、そのＰＣＩを変更するように前記ｅＮＢによって促されることになる、請求項１２に記載のモバイル通信システム。
【発明の詳細な説明】
【技術分野】
【０００１】
本発明は、リレーノード・バックホール・ハンドオーバ、特に、３ＧＰＰロング・ターム・エボリューション（ＬＴＥ：Ｌｏｎｇ  Ｔｅｒｍ  Ｅｖｏｌｕｔｉｏｎ）−アドバンストにおいて適用可能なモバイルリレーノード・バックホール・ハンドオーバに関する。特に、本発明は、ＰＣＩ衝突の回避に関する。
【背景技術】
【０００２】
モバイルデータの増加は、モバイルアプリケーション（例えば、ストリーミング・コンテンツ、オンラインゲームおよびテレビならびにインターネットブラウザ）の増加とともにＬＴＥ規格に関する作業を促進させた。これは、ＬＴＥ−Ａ規格によって置き換えられた。
【０００３】
ＬＴＥ−ＡまたはＬＴＥアドバンストは、現在、３ＧＰＰによりＬＴＥの拡張として規格化が進められている。ＧＳＭ（登録商標）およびＵＭＴＳの自然な進化としてＬＴＥモバイル通信システムが展開されている。
【０００４】
ＬＴＥは、３．９Ｇ（３Ｇ＋）技術として規定されているので、１Ｇｂｐｓまでのピーク・データ速度のような必要条件を有する、ＩＭＴアドバンストとも呼称される、４Ｇの要件は満たさない。
【０００５】
２００８年４月に、３ＧＰＰは、ロング・ターム・エボリューション（ＬＴＥ）に関する将来の作業のための計画に合意した。ＬＴＥアドバンストに関する３ＧＰＰ要件の第１のセットは、２００８年６月に承認された。この規格は、１Ｇｂｐｓのピーク・データ速度を要求し、さらに速い電力状態間の切り替えとセルエッジにおける性能改善とを目標とする。さらなる詳細は、ｗｗｗ．３ｇｐｐ．ｃｏｍに見られる。
【０００６】
図１は、ＬＴＥワイヤレス通信ネットワーク１０の簡略化した配置を示す。基地局１２−ｅＮｏｄｅＢまたはより簡単にｅＮＢ、リレーノード１４（時にはＲＮ：ｒｅｌａｙ  ｎｏｄｅと略記される）、および２つの端末装置１６、１８（時にはＵＥと略記される）が設けられる。ＬＴＥアーキテクチャのさらなる詳細は、ｗｗｗ．３ｇｐｐ．ｏｒｇに見られる。
【０００７】
リレーノードは、ｅＮＢへの双方向ワイヤレスリンクを備える。当然のことながら、ネットワークにおけるそれぞれのリレーは、制御用ｅＮＢへのリンクを有するであろう。リレーノードからｅＮＢへのリンクは、バックホールリンクとしばしば称され、Ｕｎインターフェースによって達成される。それぞれのｅＮＢは、コアネットワークへリンクされ、このリンクは、ｅＮＢのバックホールリンクである。制御用ｅＮＢは、時にはドナーｅＮＢ、またはＤ−ｅＮＢと呼ばれる。Ｄ−ｅＮＢは、ドメイン内のネットワークトラフィックを制御する。前記ドメインは、複数のさらなるノードを含む。地理的に隣り合って位置するセルは、隣接したセル（ｎｅｉｇｈｂｏｕｒｉｎｇ  ｃｅｌｌ）と称される。従って、近隣（ｎｅｉｇｈｂｏｕｒ）は、ｅＮＢの予め設定された地理的な範囲内のセルであると見做される。
【０００８】
Ｄ−ｅＮＢへ直接に接続されるＵＥは、直接にリンクされるか、または直接リンクを備えると見做される。かかるＵＥは、マクロＵＥまたはＭ−ＵＥと称される。図１に示されるＵＥ１６は、Ｍ−ＵＥである。
【０００９】
ＵＥのリレーノードへの接続は、アクセスリンクと称される。リレーノードに接続されたＵＥは、しばしばＲ−ＵＥと称される。図１に示されるＵＥ１８は、Ｒ−ＵＥである。
【００１０】
通常動作の間に、ＵＥまたはＲＮは、ソースアクセスポイントからターゲットアクセスポイントへの（結果として、ソースセルからターゲットセルへの）ハンドオーバを経験する。
【００１１】
リレー
【００１２】
リレーは、セルエッジのスループットとシステム能力とを向上させることによって、ワイヤレス通信システムのカバレージを拡大する経済的な方法であると考えられる。ＬＴＥ−Ａでは、リレーは、一般に、２つのカテゴリ、タイプ１およびタイプ２で定義される。
【００１３】
タイプ１のリレーノードは、自らのＰＣＩ（Ｐｈｙｓｉｃａｌ  Ｃｅｌｌ  ＩＤ：物理セルＩＤ）を有し、そのＰＣＩの共通チャネル／信号を送信するように動作可能である。ＵＥは、リレーノードから直接にスケジューリング情報およびＨＡＲＱフィードバックを受信する。タイプ１のリレーノードがｅＮＢには別様に見えて、さらなる性能向上を可能にすることもできる。タイプ１のリレーノードは、ＵＥ部とｅＮＢ部とを有すると見做される。Ｄ−ｅＮＢは、ＵＥ部によってリレーがＵＥであると考え、一方でＲ−ＵＥは、ｅＮＢ部によってリレーがｅＮＢであると考える。この配置のさらなる詳細は、参照によりその詳細が本明細書に組み込まれる、シャープ株式会社による英国特許第２４７５９０６号に見られる。
【００１４】
タイプ１のリレーは、その機能性をどのように見るかによって、ｅＮＢ（制御ノード）およびＵＥ（端末装置）の両方の機能性を含むと見做すことができる。従って、このリレーノードは、バックホールリンクでは（ＵＥの機能性によって動作する）ＵＥのように振舞い、一方でアクセスリンクでは（ｅＮＢの機能性によって動作する）ｅＮＢのように振舞う。あるいは言い換えれば、Ｄ−ｅＮＢは、このリレーがＵＥであると考え、一方でＵＥは、このリレーノードが通常のｅＮＢであると考える。
【００１５】
対照的に、タイプ２のリレーノードは、個別のＰＣＩを有さず、ＵＥにはトランスペアレントである。
【００１６】
ＰＣＩは、Ｐ−ＳＣＨ（Ｐｒｉｍａｒｙ  Ｓｙｎｃｈｒｏｎｉｓａｔｉｏｎ  ｃｈａｎｎｅｌ：１次同期チャネル）、Ｓ−ＳＣＨ（Ｓｅｃｏｎｄａｒｙ  Ｓｙｎｃｈｒｏｎｉｓａｔｉｏｎ  ｃｈａｎｎｅｌ：２次同期チャネル）、およびＲＳ（Ｒｅｆｅｒｅｎｃｅ  Ｓｉｇｎａｌ：参照信号）中に存在する。ＰＣＩは、セルを正確に構成することを可能にし、かつＵＥまたはＲＮ（リレーノード）がセルと同期することを可能にする。ＰＣＩシーケンスの最大数は、ＴＳ３６．２１１およびＴＳ３６．３００規格に準拠する基地局とのコンパティビリティを保証するために、（１６８グループに分割される）５０４個である。ＰＣＩシーケンスの数がこのように限られるので、２つのアクセスポイント（結果として、セル）が同じＰＣＩを有し、１つのデバイスがアクセス可能であるときには、問題が生じうる。この問題は、ＰＣＩ衝突と称される。
【００１７】
自動的近隣関係（ＡＮＲ：Ａｕｔｏｍａｔｉｃ  Ｎｅｉｇｈｂｏｕｒ  Ｒｅｌａｔｉｏｎ）
【００１８】
移動セルの導入に伴って、ＡＮＲの重要性が速やかに理解されるであろう。参照によりその全体が本明細書に組み込まれるＴＳ３６．３００によれば、ＡＮＲ機能の目的は、近隣関係（ＮＲ：Ｎｅｉｇｈｂｏｕｒ  Ｒｅｌａｔｉｏｎ）を手動で管理する負担からオペレータを解放することである。（ＴＳ３６．３００から再録された）図２は、ＡＮＲおよびその環境を示す。ＡＮＲ機能は、ｅＮＢに存在し、概念的な近隣関係表（ＮＲＴ：Ｎｅｉｇｈｂｏｕｒ  Ｒｅｌａｔｉｏｎ  Ｔａｂｌｅ）を管理する。近隣検出機能（Ｎｅｉｇｈｂｏｕｒ  Ｄｅｔｅｃｔｉｏｎ  Ｆｕｎｃｔｉｏｎ）は、ＡＮＲ内にあり、新しい近隣を検出して、それらの新しい近隣をＮＲＴへ追加する。ＡＮＲは、古くなったＮＲを除去する近隣除去機能（Ｎｅｉｇｈｂｏｕｒ  Ｒｅｍｏｖａｌ  Ｆｕｎｃｔｉｏｎ）も含む。近隣検出機能および近隣除去機能は、実装に固有である。図２にも示されるように、ｅＮＢは、地域ネットワークを運営および保守するＯ＆Ｍ（Ｏｐｅｒａｔｉｏｎｓ  ａｎｄ  Ｍａｉｎｔｅｎａｎｃｅ：運営保守）センターに接続される。ネットワーク全体には、それぞれが１つの領域を受け持つ複数のＯ＆Ｍセンターがあることを当業者（ｓｋｉｌｌｅｄ  ｒｅａｄｅｒ）は理解するであろう。比較として、単一のＮＭ（Ｎｅｔｗｏｒｋ  Ｍａｎａｇｅｍｅｎｔ：ネットワーク管理）センターは、ネットワークを全体として維持することを担う。
【００１９】
ＡＮＲのコンテキストにおいて、近隣セル関係（ＮＲ）は、次のように定義される。
【００２０】
ソースセルとターゲットセルとの間に近隣関係が存在する場合、ソースセルを制御するｅＮＢは、
【００２１】
ａ）ターゲットセルのＥＣＧＩ／ＣＧＩおよびＰＣＩを認識している。
【００２２】
ｂ）ターゲットセルを識別するソースセルのためのエントリをＮＲＴ中に有する。
【００２３】
ｃ）Ｏ＆Ｍによって定義された、またはデフォルト値に設定された属性をこのＮＲＴエントリ中に有する。
【００２４】
ｅＮＢは、それぞれの近隣セルを識別するＮＲＴ（図２参照）を維持する。ＮＲごとに、ＮＲＴは、ターゲットセルを識別するターゲットセル識別子（ＴＣＩ：Ｔａｒｇｅｔ  Ｃｅｌｌ  Ｉｄｅｎｔｉｆｉｅｒ）を含む。図１に示された例では、ＵＥ１６がＤ−ｅＮＢ１２に接続されている。このＤ−ｅＮＢ１２は、その近隣Ｄ−ｅＮＢ（および、結果として、それら近隣Ｄ−ｅＮＢに関連付けられたセル）のそれぞれを識別するＮＲＴを維持するであろう。図１では、Ｄ−ｅＮＢ１２のＮＲＴが他のＤ−ｅＮＢまたはリレーノード１４を識別するであろう。
【００２５】
Ｅ−ＵＴＲＡＮでは、ＴＣＩがターゲットセルのＥ−ＵＴＡＮセル・グローバル識別子（ＥＣＧＩ：Ｅ−ＵＴＡＮ  Ｃｅｌｌ  Ｇｌｏｂａｌ  Ｉｄｅｎｔｉｆｉｅｒ）および物理セル識別子（Ｐｈｙｓｉｃａｌ  Ｃｅｌｌ  Ｉｄｅｎｔｉｆｉｅｒ）に対応する。そのうえ、それぞれのＮＲは、３つの属性、すなわち、「ＮｏＲｅｍｏｖｅ」、「ＮｏＨＯ」、および「ＮｏＸ２」属性を有する。これらの属性は、次の定義を有する。
【００２６】
ＮｏＲｅｍｏｖｅ：チェックされた場合、ｅＮＢは、その近隣セル関係をＮＲＴから除去しないものとする。
【００２７】
ＮｏＨＯ：チェックされた場合、その近隣セル関係は、ハンドオーバの理由ではｅＮＢによって用いられないものとする。
【００２８】
ＮｏＸ２：チェックされた場合、その近隣関係は、ｅＮＢがターゲットセルの親となる手順を開始するためにＸ２インターフェースは用いないものとする。
【００２９】
近隣セル関係は一方向であり、一方でＸ２リンクは双方向である。
【００３０】
近隣情報交換は、Ｘ２セットアップ手順の間に生じるか、またはｅＮＢ構成アップデート手順において生じ、ＡＮＲのために用いられる。
【００３１】
ＡＮＲ機能は、Ｏ＆ＭがＮＲＴを管理することも可能にする。Ｏ＆Ｍは、ＮＲを追加および削除できる。Ｏ＆Ｍは、ＮＲＴの属性を変更することもできる。Ｏ＆Ｍシステムは、ＮＲＴにおける変更について知らされる。例えば、モバイルリレーノードが（図１において）Ｄ−ｅＮＢ１２に接続されており、その後、別のＤ−ｅＮＢ１４へハンドオーバされたとすると、モバイルリレーは、第１のＤ−ｅＮＢ１２のＮＲＴから削除され、第２のＤ−ｅＮＢ１４のＮＲＴへ追加される。これは、ＭＲＮをもつＬＴＥアーキテクチャの例を示す図５で見ることができる。
【００３２】
図５では、ＭＲＮ２６が列車４０に搭載されている。理解されるように、列車は、高速で走行し、かくして複数のドメイン（またはセル）を通過し、かくして複数のＤ−ｅＮＢ１４、１２と相互作用しなくてはならない。図５では、ＭＲＮ２６が（実線両矢印によって示される）第１のＤ−ｅＮＢ１４に接続されているが、このノードから遠ざかり、第２のＤ−ｅＮＢ１２の方へ移動するにつれて、ＭＲＮ２６は、第１のＤ−ｅＮＢ１４から（破線両矢印によって示される）第２のＤ−ｅＮＢ１２へハンドオーバされることが必要となろう。ＭＲＮ２６は、次に、第１のＤ−ｅＮＢ１４のＮＲＴから削除されて、第２のＤ−ｅＮＢ１２のＮＲＴへ追加される必要がある。
【００３３】
ＬＴＥ内／周波数ＡＮＲ機能
【００３４】
ＡＮＲ（自動的近隣関係）機能は、グローバルレベルのそれらのアイデンティティ、Ｅ−ＵＴＲＡＮセル・グローバル識別子（ＥＣＧＩ：Ｅ−ＵＴＲＡＮ  Ｃｅｌｌ  Ｇｌｏｂａｌ  Ｉｄｅｎｔｉｆｉｅｒ）をブロードキャストするセルに依存する。
【００３５】
図１を参照すると、これらの機能は、次のように働く。
【００３６】
ｅＮＢ１２の在圏セルＡ１２’は、ＡＮＲ機能を有する。通常の呼手順の一部として、ｅＮＢ１２は、それぞれのＵＥ１６に近隣セル１４’に関する測定を行うように命令する。ｅＮＢ１２は、ＵＥ１６に測定を行うように命令し、かつそれら測定をｅＮＢ１２へいつレポートすべきかを命令するために種々の方針を用いる。この測定手順は、ＴＳ３６．３３１に指定される通りであり、図３に示される。
【００３７】
１．ＵＥ１６は、セルＢ１４’に関する測定レポートを送信する。このレポートは、セルＢ１４’のＰＣＩを含むが、そのＥＣＧＩは含まない。
【００３８】
ｅＮＢ１２がＰＣＩを含んだＵＥ測定レポートを受信するときに、次のシーケンスが用いられる。
【００３９】
２．ｅＮＢ１２は、ＵＥ１６に、新たに発見されたＰＣＩをパラメータとして用いて、関係する近隣セル１４’のＥＣＧＩ、ＴＡＣおよびすべての利用可能なＰＬＭＮ  ＩＤ（単数または複数）を読み取るように命令する。そうするために、ｅＮＢ１２は、検出された近隣セルのブロードキャスト・チャネルからＵＥ１６がＥＣＧＩを読み取ることを可能にする、然るべきアイドル期間をスケジュールすることが必要である。ＵＥ１６がＥＣＧＩをどのように読み取るかは、ＴＳ３６．３３１に指定される。
【００４０】
３．ＵＥ１６が新しいセル１４のＥＣＧＩを見出したときに、ＵＥ１６は、検出されたＥＣＧＩを在圏セルのｅＮＢ１２にレポートする。加えて、ＵＥ１６は、検出されたトラッキングエリアコードおよびすべてのＰＬＭＮ  ＩＤをレポートする。検出されたセルがＣＳＧまたはハイブリッドセルであれば、ＵＥ１６は、ＣＳＧ  ＩＤも在圏セルのｅＮＢ１２にレポートする。
【００４１】
４．ｅＮＢ１２は、この近隣関係を追加することを決定し、次のようにＰＣＩおよびＥＣＧＩを用いることができる、すなわち、
【００４２】
ａ）新しいｅＮＢ１４へのトランスポートレイヤアドレスを探索する。
【００４３】
ｂ）近隣関係リストをアップデートする。
【００４４】
ｃ）必要であれば、ＴＳ３６．３００のセクション２２．３．２に記載されるように、このｅＮＢ１４への新しいＸ２インターフェースを設定する。
【００４５】
ＲＡＴ間／周波数間自動的近隣関係機能に関する情報は、ＴＳ３６．３００のセクション２２．３．４に見ることができる。
【００４６】
大量輸送システム
【００４７】
高速公共輸送機関が世界的に急速に展開している。それゆえに、かかる輸送機関にリレーノード（ＲＮ）を含めることが望ましい。かかるＲＮは、典型的にモバイルリレーノード（ＭＲＮ：ｍｏｂｉｌｅ  ｒｅｌａｙ  ｎｏｄｅ）と称される。実際、ＭＲＮは、グループ・モビリティの際の高いバースト性のシグナリング負荷を最小にするか、または完全に回避することができるため、最近、３ＧＰＰの注目を集め始めた。かかる状況において、車両に搭載されたＭＲＮは、端末装置（ＵＥ）ごとの個別のモビリティ手順ではなく、グループ・モビリティを実行することができる。言い換えれば、ＭＲＮに接続されたＵＥは、異なるドメインを通過するときにＤ−ｅＮＢ間で個別にハンドオーバする必要がなく、ＭＲＮは、それぞれのＵＥとの接続を維持して、そのバックホールリンクをＤ−ｅＮＢ間でハンドオーバすることができる。
【００４８】
ＬＴＥにおける自動的近隣関係（ＡＮＲ）の導入に伴って、Ｄ−ｅＮＢは、近隣セル（すなわち、Ｄ−ｅＮＢに対して局在したセル）について詳細を確定できる。３ＧＰＰ仕様によれば、ＡＮＲ機能性の目的は、近隣関係（ＮＲ）を手動で管理する負担からオペレータを解放することである。
【００４９】
図１に示されるように、ＡＮＲ機能は、ｅＮＢに存在し、３つの機能、すなわち、近隣検出機能、近隣除去機能、およびＮＲＴ管理機能を備える。近隣検出機能は、ＡＮＲ内にあり、Ｄ−ｅＮＢに新しい近隣を見出させて、それら新しい近隣をＮＲＴに追加させる。ソースセルからターゲットセルへの既存の近隣セル関係（ＮＲ）が意味するのは、ソースセルを制御するｅＮＢが、ターゲットセルのＥ−ＵＴＲＡＮセル・グローバル識別子／セル・グローバル識別子（ＥＣＧＩ／ＣＧＩ）および物理セル識別子（ＰＣＩ）を認識しており、ターゲットセルを識別するソースセルのためのエントリをＮＲＴ中に有することである。
【００５０】
図５に示されるように、モバイルリレーノード（ＭＲＮ）は、列車の上に搭載されて、車内のＵＥにサービスする。列車が（第１のＤ−ｅＮＢ１４によってサービスされる）第１のセルから（第２のＤ−ｅＮＢ１２によってサービスされる）第２のセルへ移動するときには、ＵＥごとに個別にではなく、ＭＲＮ２６に対してハンドオーバが行われる。しかしながら、列車４０が鉄道に沿ってセル間を移動するにつれて、ＭＲＮのセルのＰＣＩは、線路沿いに基地局装置（ｅＮＢ：Ｅｖｏｌｖｅｄ  Ｎｏｄｅ  Ｂ）１４、１２によってサービスされる隣接したセルと衝突するか、または、やはりこの鉄道を用いる他の列車に搭載されたＭＲＮと衝突することがある。ＭＲＮ２６が異なるセル間を移動するにつれて、そのＰＣＩが固定アクセスポイントのＰＣＩと衝突することもある。
【００５１】
移動セルと固定セルとの間のＰＣＩ衝突を回避するための従来の解決法は、固定ノードとモバイルリレーとの両方に専用であるが個別のＰＣＩプールを用いる。これは、小さい領域における移動セルと固定セルとの間のＰＣＩ衝突を防ぐことができるが、２つ以上のモバイルリレーが互いに接近するときのＰＣＩ衝突は考慮しない。モバイルリレーは、同じＰＣＩプールを共有するので、同じＰＣＩがこれらのモバイルリレーに割り当てられる。結果として、これらのモバイルリレーが互いに接近するときにはＰＣＩ衝突を生じうるであろう。
【００５２】
列車のネットワークでは、注意深いプラニングによってこの問題が軽減される。しかしながら、列車の運転手が列車のコンパートメントを変更するか、および／または、異なる地域で列車を運転するときには、列車時刻表の必要条件に加えてＰＣＩの要件も考慮するのが難しくなる。加えて、中央列車端末は、多くの列車上のリレーノードが同じ固定ノードに一度に接続されるように強いるため、ＰＣＩ衝突の機会を増加させる。同様の問題は、他の車両に搭載されたモバイルリレーでも生じうる。
【００５３】
本発明は、上記の問題を念頭に置いて生み出された。従って、本発明の目的は、ＰＣＩ衝突を完全に回避するための配置を提供することである。特に、本発明の目的は、すでに限られたＰＣＩプールを分割することを必要としないで、移動セルに対するＰＣＩ衝突を回避するための配置を提供することである。本発明のさらなる目的は、車両の運転手の裁量でモバイルリレーが搭載された、車両の相対運動を考慮したＰＣＩ衝突回避配置を提供することである。
【発明の概要】
【課題を解決するための手段】
【００５４】
本発明の第１の態様に従って、モバイル通信ネットワークが提供され、このネットワークは、
【００５５】
ネットワークの運用保守を維持するように動作可能な１つ以上の運用保守センターと、
【００５６】
複数のセルであって、それぞれが物理セル識別子（ＰＣＩ）を備え、セルのいくつかが固定セルであり、セルのいくつかがモバイルセルである、複数のセルとを備え、
【００５７】
第１のセルは、第１のセルに隣接した複数のセルからのセルの詳細を保持するための、近隣関係表（ＮＲＴ）を含んだ、自動的近隣関係（ＡＮＲ）機能をホストするように動作可能なｅＮＢを備え、
【００５８】
ｅＮＢは、ＮＲＴ中に、隣接したセルが固定またはモバイルであるかどうかに関する情報を保持する。
【００５９】
本発明の第２の態様に従って、物理セル識別子（ＰＣＩ）を備えるモバイルセルを形成するモバイルリレーノードが提供され、モバイルリレーノードは、モバイル通信ネットワーク内で移動するように動作可能であり、前記モバイル通信ネットワークは、それぞれが各自の物理セル識別子（ＰＣＩ）をもつ複数のセルを備え、
【００６０】
前記モバイルリレーノードは、ネットワークにおけるセル間で移動するにつれて、現在隣接するセルのＰＣＩをモニタするように動作可能であり、
【００６１】
リレーノードは、そのＰＣＩが隣接したセルのものと競合することを検出した場合、リレーノードのＰＣＩを変更するように動作可能である。
【００６２】
本発明の第３の態様に従って、モバイル通信システムが提供され、このシステムは、
【００６３】
モバイルリレーノードがアタッチされた第１のｅＮＢであって、前記モバイルリレーノードは、物理セル識別子（ＰＣＩ）を備える、第１のｅＮＢと、
【００６４】
それぞれが各自のＰＣＩをもつ、１つ以上のセルを制御する、第２のｅＮＢと、
【００６５】
それぞれが各自のＰＣＩをもつ、１つ以上のセルを制御する、第２のｅＮＢの近隣にある、第３のｅＮＢとを備え、
【００６６】
前記ｅＮＢのそれぞれは、それぞれのｅＮＢが隣接したｅＮＢによって制御されるセルのＰＣＩを認識するような、自動的近隣関係機能を備え、
【００６７】
前記第１のｅＮＢがモバイルリレーノードを第２のｅＮＢへハンドオーバするときに、前記第２のｅＮＢは、モバイルリレーノードのＰＣＩが第３のｅＮＢによって制御されるセルのＰＣＩのいずれかと競合するか否かを判定し、競合が生じる場合、前記第２のｅＮＢは、前記モバイルリレーノードにそのＰＣＩを変更するように促す。
【００６８】
本発明の第４の態様に従って、モバイル通信システムが提供され、このシステムは、
【００６９】
ｅＮＢと、
【００７０】
第１のモバイルリレーノードおよび第２のモバイルリレーノードとを備え、それぞれのモバイルリレーノードは、第１および第２の物理セル識別子（ＰＣＩ）を備え、前記ＰＣＩが同じであれば、前記ｅＮＢは、第１のモバイルリレーノードおよびの第２のモバイルリレーノードのうちの１つにそれらのＰＣＩを変更することを促すように動作可能である。
【００７１】
本発明をさらに容易に理解するために、添付図面を参照してその具体的な実施形態および態様が記載される。
【図面の簡単な説明】
【００７２】
【図１】ＬＴＥアーキテクチャの概観を示す。
【図２】先行技術のＡＮＲによるｅＮＢとＯ＆Ｍとの間の相互作用を示す。
【図３】ＡＮＲ機能を表す。
【図４】ワイヤレス通信ネットワークの一部に関する図を示す。
【図５】図４のネットワークのサブセットを示す。
【図６】本発明の実施形態に従って動作手順のフロー図を示す。
【００７３】
本発明は、典型的にＭＲと略記されるモバイルリレーノードと、ＬＴＥ−Ａワイヤレスネットワーク内でのそれらのハンドオーバとに主として関わる。しかしながら、静的リレーノードが負荷バランシングのために基地局間でハンドオーバを受けるときには、前記静的リレーノードにも本配置が適用可能である。本配置は、新しい静的リレーノードが既存のネットワークに追加されるときにも適用可能である。一般に、本発明は、ＰＣＩ衝突が生じることになるかどうかを判定するために、Ｄ−ｅＮＢの近隣関係表（ＮＲＴ）を用いる。
【００７４】
モバイルリレー（ＭＲ）は、ワイヤレス通信システムの至るところでモバイルである。ＭＲが異なるセルの一方から他方へ移動するにつれて、自らの物理セル識別子（ＰＣＩ）が固定セルまたは別の移動セルのＰＣＩと衝突することがある。Ｐ−ＳＣＨ、Ｓ−ＳＣＨ、ＲＳのような、多くのネットワーク信号は、いずれもＰＣＩまたはＰＣＩが属する群を運ぶので、これは重要である。
【００７５】
定義されるＰＣＩシーケンスは最大５１０個であり、それゆえにかかるリソースは、限られ、不足している。従って、ネットワーク内のＰＣＩシーケンスを再使用することが常に必要であろう。ＰＣＩ衝突の問題は、すべてのアクセスノード（および、従って、セル）が固定されていれば生じないであろう。モバイルリレーの到来が意味したのは、同じＰＣＩをもつセルは衝突する可能性があるということである。
【００７６】
移動セルと固定セルとの間のＰＣＩ衝突は、固定ノードとモバイルリレーとの両方に専用であるが個別のＰＣＩプールを用いることによって回避できる。この解決法は、モバイルリレーノードのＰＣＩが固定アクセスノードのＰＣＩと衝突する問題を解決する。しかしながら、２つのモバイルリレーノード間のＰＣＩ衝突は、依然として生じうる。衝突の尤度は、モバイルリレーのために確保されたＰＣＩシーケンスの数に依存するであろう。
【００７７】
モバイルリレーノード間のＰＣＩ衝突が生じうる特定の領域は、列車ネットワーク上である。列車の運転手は、自らの裁量で列車のコンパートメントをランダムに変更し、様々な地域で運転を行うために、この問題が悪化しかねない。
【００７８】
従って、望ましくは、いずれのＰＣＩ衝突回避メカニズムも、列車または客車の運転手が、必要に応じ、かつ必要なときに同じ客車を異なる経路上で運転する自由を奪うべきでない。結果として、異なるＰＣＩプールを維持することが直接的な答えではない。
【００７９】
本配置は、同じＰＣＩを有する２つ以上のＥ−ＵＴＲＡＮノードが互いに接近したときに、事態の処理を可能にする複数の解決法を提供する。これらの解決法は、専用ＰＣＩプールを割り当てる必要がない。
【００８０】
特に、それぞれがＰＣＩシーケンスの限られたＰＣＩプールを分割する必要なしにＰＣＩ衝突を回避する、３つの実施形態が提示される。
【００８１】
実施形態１
モバイルリレーノードは、隣接したセルのＰＣＩ検出のために、制御用Ｄ−ｅＮＢへのそのバックホールリンクを散発的にモニタするように動作可能である。リレーノードが２つの態様、ＵＥ部およびｅＮＢ部を備えると見做すならば、リレーは、そのＵＥ部をこの目的に用いることができる。衝突するＰＣＩがＵＥ部によって検出されるとすぐに、所与のモバイルリレーは、アクセスリンク上で用いられる自らのＰＣＩを隣接したセルのものとは異なるＰＣＩに変更して、そのＲ−ＵＥに然るべく変更について知らせる。
【００８２】
このように、この実施形態は、ＰＣＩを備えるモバイルセルを形成するモバイルリレーノードを提供する。モバイル通信ネットワーク内で移動するように動作可能なモバイルリレーノードであって、前記ネットワークは、それぞれが各自のＰＣＩをもつ複数のセルを備える。モバイルリレーは、ネットワークにおけるセル間を移動するにつれて、現在隣接するセルのＰＣＩをモニタするように動作可能であり、自らのＰＣＩが隣接したセルのＰＣＩと競合することを検出した場合、リレーノードは、自らのＰＣＩを変更するように動作可能である。当然のことながら、リレーノードは、典型的にタイプ１ａまたはタイプ１ｂのリレーである。
【００８３】
実施形態２
図４を参照して本発明が記載される。この図は、２つのＤ−ｅＮＢ１２、１４、２つのモバイルリレーノード２６、２８、３つの固定リレーノード３０、３２、３４およびＵＥ１６を示す。
【００８４】
ＬＴＥにおける自動的近隣関係（ＡＮＲ）の導入は、所与のＤ−ｅＮＢがその局所的な近傍に位置するセルについて詳細を取得することを可能にする。例えば、Ｄ−ｅＮＢ１２は、Ｄ−ｅＮＢ１４と関連付けられたセルおよびＤ−ｅＮＢ１２と関連するリレーノード３０、３２の詳細を取得するように動作可能である。同様に、Ｄ−ｅＮＢ１４は、Ｄ−ｅＮＢ１２およびリレーノード３４と関連付けられたセルの詳細を取得できる。
【００８５】
図５は、図４の一部の簡略版を示す。モバイルリレー２６およびＤ−ｅＮＢ１２、１４のみが示される。モバイルリレーは、Ｄ−ｅＮＢ１４から遠ざかり、Ｄ−ｅＮＢ１２の方へ移動するにつれて、Ｄ−ｅＮＢ１４からＤ−ｅＮＢ１２へハンドオーバされるであろう。このように、モバイルリレー２６のバックホールリンクは、２つのＤ−ｅＮＢ間でハンドオーバされるであろう。
【００８６】
当然のことながら、モバイルリレー２６は、モバイルリレー２８、Ｄ−ｅＮＢ１２または固定リレーノード３０、３２のセルのものと同じＰＣＩを有することがある。そうであり、かつモバイルリレー２６がＤ−ｅＮＢ１２の方へ向い続けるならば、ＰＣＩ衝突があることになろう。
【００８７】
本実施形態に従い、ＡＮＲ機能性を用いることによって、モバイルリレーのいずれのハンドオーバよりもずっと前にＰＣＩ衝突を回避することができる。
【００８８】
次に、本実施形態による２つのシナリオが記載される。第１のシナリオは、モバイル２６が固定リレー３０と同じＰＣＩを有すると仮定する。固定リレー３０は、Ｄ−ｅＮＢ１２と関連付けられている。
【００８９】
モバイルリレー２６は、Ｄ−ｅＮＢ１４からＤ−ｅＮＢ１２へハンドオーバされるときに起こりうるＰＣＩ衝突について通知されるであろう。これは、Ｄ−ｅＮＢ１４が、ＡＮＲを通じて、隣接したｅＮＢ、このケースではＤ−ｅＮＢ１２に属するセルのＰＣＩを認識することになるためである。従って、このメカニズムが用意されると、Ｄ−ｅＮＢ１４は、モバイルリレー２６に固定リレー３０のセルに接近する前にそのＰＣＩを変更するように促すであろう。第２のシナリオでは、モバイルリレー２８のＰＣＩがＤ−ｅＮＢ  Ａに属するモバイルリレー２６のＰＣＩと同じであるとしよう。本実施形態では、モバイルリレーノードのうちの１つがそのＰＣＩを変更するようにＤ−ｅＮＢ１４によって促されることになろう。そのＰＣＩを変更するように選択されるモバイルリレーは、どちらのモバイルリレー２６、２８が最後にＤ−ｅＮＢへハンドオーバされるかに依存する。しかし、モバイルリレー２６は、モバイルリレー２８がＤ−ｅＮＢ１４へハンドオーバされる前にすでにＤ−ｅＮＢ１４によってサービスされていたとしよう。このケースでは、モバイルリレー２８が、モバイルリレー２６との将来の衝突を回避するために、そのＰＣＩを変更するようにＤ−ｅＮＢ１４によって促されるであろう。
【００９０】
実施形態３
次に、第３の実施形態が記載される。
【００９１】
Ｔ３６．３００から分かるように、ｅＮＢは、ＡＮＲ機能性をホストすることを担う。Ｔ３６．３００は、サブセクション２２．３．５において、ＰＣＩをｅＮＢへ割り当てるために用いられる２つの枠組みも指定する。それに沿って、最初に、Ｏ＆Ｍセンターは、ＰＣＩをｅＮＢに割り当てるか、または、ｅＮＢがそこから選択するようにＰＣＩのリストを提供する。
【００９２】
本実施形態は、Ｔ３６．３００のテキスト、とりわけセクション２２．３．２ａおよび２２．３．５と特に軌を一にする。セクション２２．３．２ａによれば、ネットワークにおけるすべてのｅＮＢは、どのセルがその近傍内にあるか、それらのＴＣＩ、およびＸ２が可能かどうかを判定する必要がある。この要件は、自動的近隣関係（ＡＮＲ）機能を通じて実装される。
【００９３】
既存のＡＮＲ機能性に加えて、本実施形態は、ｅＮＢが、そのｅＮＢが発見するすべての隣接したセルに関する追加情報を保持することも担うことを規定する。この追加情報は、ｅＮＢの近隣関係表（ＮＲＴ）中に保持される。
【００９４】
好ましくは、ｅＮＢは、隣接したセルのセル・タイプを指定するための追加コラムをＮＲＴ中に保持することになろう。このセル・タイプは、セルが（モバイルリレーノードによって形成された）モバイルセルまたは（固定または静的アクセスノードによって形成された）固定セルであるかどうかを規定する。
【００９５】
本配置では、移動セルが検出された場合、ｅＮＢは、前記移動セルのＰＣＩが、識別されてその近隣関係表（ＮＲＴ）にリストされた別の隣接したセルのＰＣＩと衝突するかどうかも確定するであろう。これが当て嵌まれば、ｅＮＢは、移動セルのモバイルリレーノードにそのＰＣＩを変更することを要求するなど、必要な処置を該当するＯ＆Ｍに促すことになろう。特に好ましいのは、ｅＮＢが移動セルと関連付けられたＯ＆Ｍを識別し、２２．３．５に指定されるのと同様の行動を行うように、Ｏ＆Ｍにリクエストすることである。特に好ましいのは、ｅＮＢが、Ｏ＆Ｍとコンタクトしているときに、モバイルリレーがどのＰＣＩを回避しなければならないかに関する情報を供給することである。移動セルと関連付けられたＯ＆Ｍは、その情報を用いて、いずれの衝突よりもずっと前に修正処置を講じることができる。
【００９６】
本実施形態によって提案される、ＡＮＲ機能性の一部として含まれる運用手順の追加のセットが図６に示される。ＴＳ３６．３００によって指定されるように、この手順のセットは、ＡＮＲ機能性をホストするＤ−ｅＮＢ内で実行される。
【００９７】
特に、図６は、本実施形態に従い、Ｄ−ｅＮＢによって行われる処理を示す。Ｄ−ｅＮＢは、ＴＳ３６．３００によって指定されるようなＡＮＲ機能性を有するであろう。一般に、Ｄ−ｅＮＢは、ＡＮＲ機能性が一旦動作可能になると、そのＤ−ｅＮＢが発見するセルごとに追加情報を保持することになろう。これによって、ＮＲＴは、発見されたそれぞれのセルが固定（すなわち、非移動）または移動セル（例えば、ＭＲＮ）タイプであるかどうかを指定する追加情報を記憶する必要がある。
【００９８】
いくつかの実施形態において、この追加情報は、ＮＲＴ中の追加コラムに記憶される。この追加コラムを用いて、Ｄ−ｅＮＢは、新しいセルを検出し始めるであろう。検出されたセルが移動セル・タイプであれば、Ｄ−ｅＮＢは、新たに発見された移動セルのＰＣＩが、ＮＲＴ中にリストされたいずれかのセルのＰＣＩと衝突するかどうかをさらにチェックすることになろう。これが当て嵌まれば、Ｄ−ｅＮＢは、
【００９９】
ａ）新たに発見された移動セルのＯ＆Ｍを識別し、
【０１００】
ＰＣＩ割り当てアルゴリズムを開始するときに回避されるべきＰＣＩを示して、
【０１０１】
識別されたＯ＆ＭにＰＣＩ割り当てアルゴリズムを実行するように命令することになろう。
【０１０２】
図６の処理は、ステップｓ６０１で始まり、Ｄ−ｅＮＢがＡＮＲ機能性を開始して実行する。好ましくは、本実施形態におけるＡＮＲ機能性は、ＴＳ３６．３００に従う。ＴＳ３６．３００の機能性に加えて、本実施形態の処理は、ステップｓ６０２でＮＲＴ中に追加のコラムを保持する。その追加のコラムは、ＮＲＴ中のＮＲが（ＭＲＮのような）移動セルまたは（静的Ｄ−ｅＮＢまたはＲＮのような）固定セルに関係するかどうかを示す。
【０１０３】
ステップｓ６０３では、ＡＮＲ機能の近隣検出機能が新しいセルを検出したか否かが判定される。新しいセルが検出された場合、プロセスはステップｓ６０４へ進み、検出されない場合、プロセスはステップｓ６０９へ進む。
【０１０４】
ステップｓ６０４では、この新しいセルがＮＲＴへ追加される。このステップは、近隣検出機能を用いて達成される。次に、ステップｓ６０５では、新しいセルが移動アクセスポイントまたは（Ｄ−ｅＮＢのような）固定アクセスポイントに関係するかどうかが判定される。この説明のために、移動アクセスポイントの例としてＭＲＮが用いられることになるが、本実施形態は、他の移動アクセスポイントにも適用可能である。新しいセルが固定アクセスポイントに関係する場合、プロセスは、ステップｓ６０３へ戻り、Ｄ−ｅＮＢは、別の新しいセルが検出されるかどうかを判定する。
【０１０５】
新しいセルがＭＲＮに関係すると判定された場合、Ｄ−ｅＮＢは、新しいＭＲＮのＰＣＩがＮＲＴ中にすでに示されたセルに関係するＰＣＩと衝突しうるかどうかを判定する（ステップｓ６０６）。ステップｓ６０７では、その判定の結果によって処理が方向付けられる。ＰＣＩ衝突が生じうる場合、処理は、ステップｓ６０８へ進む。そうでない場合には、処理は、ステップｓ６０３へ戻り、Ｄ−ｅＮＢは、別の新しいセルが検出されるかどうかを判定する。
【０１０６】
ステップｓ６０８では、Ｄ−ｅＮＢは、新しいＰＣＩを新しいＭＲＮへ割り当てるのに用いられることになる、該当するＯ＆Ｍを識別する。Ｄ−ｅＮＢは、すでに使用中のＰＣＩも提供する。この提供は、ＮＲＴからＰＣＩのリストを送ることによって達成される。加えて、Ｄ−ｅＮＢは、該当するＯ＆ＭにＰＣＩ割り当てアルゴリズムを実行するように命令する。ＰＣＩ割り当てアルゴリズムは、Ｏ＆Ｍに新しいＭＲＮのための特定の新しいＰＣＩを示させるか、または、新しいＭＲＮが新しいＰＣＩを選択することになるＰＣＩのリストを提供させる。該当するＯ＆Ｍは、新しいＭＲＮに関係するセルのＯ＆Ｍであってもよい。
【０１０７】
新しいＰＣＩが新しいＭＲＮに割り当てられたときに、処理は、ステップｓ６０３へ戻り、Ｄ−ｅＮＢは、別の新しいセルが検出されるかどうかを判定する。
【０１０８】
Ｄ−ｅＮＢが新しいセルを検出しない場合、処理は、ステップｓ６０９へ進み、Ｄ−ｅＮＢは、任意の冗長または「無効」なエントリがあるかどうかを判定するためにＮＲＴをチェックすることになろう。かかる無効なエントリは、もはやＤ−ｅＮＢにも、Ｄ−ｅＮＢに隣接したアクセスポイントにも接続されないＭＲＮによって生じうる。新しいＭＲＮにできるだけ多くの空いたＰＣＩを保持するために、これらの無効なエントリをＮＲＴから除去することが有利である（ステップｓ６１０）。
【０１０９】
無効なエントリが検出された場合、Ｄ−ｅＮＢは、そのエントリをＮＲＴから除去する。これは、ＴＳ３６．３００に従ってＡＮＲの近隣除去機能を用いて行われる。処理は、次に元のステップｓ６０３へ進み、新しいセルがＤ−ｅＮＢによって検出されるかどうかを判定する。ＮＲＴ中に無効なエントリが何もない場合、処理は、元のステップｓ６０３へ戻る。
【０１１０】
従って、Ｄ−ｅＮＢにおいてＡＮＲ機能性が一旦動作可能になると、ＡＮＲ機能性は、Ｄ−ｅＮＢが発見するセルごとに追加情報を保持することになろう。１つの動作可能な例は、それぞれの発見されたセルが固定（すなわち、非移動）または移動セル（例えば、モバイルリレー）タイプであるかどうかを指定するための追加コラムを近隣関係表（ＮＲＴ）中に追加することを含むであろう。この追加コラムを用いて、Ｄ−ｅＮＢは、新しいセルを検出し始めるであろう。検出されたセルが移動セル・タイプであれば、Ｄ−ｅＮＢは、新たに発見された移動セルのＰＣＩが、ＮＲＴ中にリストされたいずれかのセルのＰＣＩと衝突する（すなわち、そのＰＣＩと同じである）かどうかをさらにチェックすることになろう。これが当て嵌まれば、Ｄ−ｅＮＢは、新たに発見された移動セルのＯ＆Ｍを識別し、この移動セルがどのＰＣＩを回避する必要があるかの観点から情報を供給して、識別されたＯ＆ＭにＰＣＩ割り当てアルゴリズムをトリガするように促すことになろう。
【０１１１】
従って、当然のことながら、ネットワークの運用保守を維持するように動作可能な１つ以上の運用保守センターをもつモバイル通信ネットワークが提供される。前記ネットワークは、それぞれがＰＣＩを備える複数のセルを備え、セルのいくつかが固定セルであり、セルのいくつかがモバイルセルである。このネットワークでは、第１のセルは、第１のセルに隣接した複数のセルからのセルの詳細を保持するために、ＮＲＴを含んだ、ＡＮＲ機能をホストするように動作可能なｅＮＢを備える。ｅＮＢは、ＮＲＴ中に、隣接したセルが固定またはモバイルであるかどうかに関する情報を保持する。
【０１１２】
好ましくは、ｅＮＢは、新しい隣接したセルを検出するように動作可能であり、新たに検出されたセルがモバイルセルであれば、前記ｅＮＢは、新たに検出されたモバイルセルのＰＣＩがＮＲＴ中にすでにあるＰＣＩに一致するか否かを判定するように動作可能である。そのうえ、ｅＮＢは、新たに検出されたモバイルセルのための運用保守センターを識別し、そのモバイルセルのＰＣＩがＮＲＴ中の既存のセルのＰＣＩと衝突する場合、運用保守センターがＰＣＩ割り当てアルゴリズムを開始することによってセルのＰＣＩを変更するようにリクエストするために動作可能である。ｅＮＢは、ＰＣＩ割り当てアルゴリズムを開始するときにどちらのＰＣＩを回避する必要があるかを運用保守センターに示すように動作可能である。
【０１１３】
好ましくは、ｅＮＢは、新しい隣接したセルを検出するように動作可能であり、新たに検出されたセルがモバイルセルであれば、前記ｅＮＢは、新たに検出されたモバイルセルのＰＣＩがそのＮＲＴ中にすでにあるＰＣＩと一致するか否かを判定するように動作可能である。
【０１１４】
特に好ましいのは、ｅＮＢが、新たに検出されたモバイルセルのための運用保守センターを識別し、そのモバイルセルのＰＣＩがＮＲＴ中の既存のセルのＰＣＩと衝突する場合、運用保守センターがＰＣＩ割り当てアルゴリズムを開始することによってセルのＰＣＩを変更するようにリクエストするために動作可能なことである。
【０１１５】
好ましくは、ｅＮＢは、ＰＣＩ割り当てアルゴリズムを開始するときにどちらのＰＣＩを回避する必要があるかを運用保守センターに示すように動作可能である。
【０１１６】
好ましい実施形態において、各自の固定セルを形成するアクセスノードは、ｅＮＢならびにタイプ１、タイプ１ａおよびタイプ１ｂのリレーノードを備える。
【０１１７】
好ましくは、リレーノードは、タイプ１ａまたはタイプ１ｂのリレーである。
【０１１８】
モバイルリレーノードは、第１のｅＮＢへのバックホールリンクを備えることが好ましく、バックホールリンクは、モバイルリレーノードのモビリティによる要求に応じて第２のｅＮＢへハンドオーバされ、モバイルリレーノードは、隣接したセルのＰＣＩに関する情報を対象としてそのバックホールリンクをモニタする。
【０１１９】
好ましくは、モバイルリレーノードは、ｅＮＢとの任意のＰＣＩ衝突を検出するために、そのバックホールリンクを連続的にモニタする。
【０１２０】
好ましくは、ｅＮＢへハンドオーバされる第１および第２のモバイルリレーノードのうちの最後の方は、そのＰＣＩを変更するように促される。
【０１２１】
好ましいのは、第１のモバイルリレーノードがｅＮＢによって先にサービスされていた場合、第２のモバイルリレーノードがそのＰＣＩを変更するようにｅＮＢによって促されることであろう。
【０１２２】
当然のことながら、上記の実施形態は、本発明を理解するために提供され、添付の特許請求の範囲によって規定される、本発明を限定するために用いられるべきではない。
【図１】
2015524625.tif 000003
【図２】
2015524625.tif 000004
【図３】
2015524625.tif 000005
【図４】
2015524625.tif 000006
【図５】
2015524625.tif 000007
【図６】
2015524625.tif 000008
【国際調査報告】
2015524625.tif 000009
2015524625.tif 000010